(57)【特許請求の範囲】
【請求項１】
プリンタの排紙台上に載置された用紙ホルダであって、
排出されてきた用紙が上側に載せられる第１板材と、
前記第１板材に上方から重ね合わせられ、前記第１板材との間で用紙を挟む第２板材と、
前記第１板材と前記第２板材とで用紙を挟持するように、前記第１板材と前記第２板材とを相互に近づける方向に付勢する付勢手段と、
を備え、
前記第１板材および前記第２板材の一方は、一側縁部から他方の前記第１板材または前記第２板材に向けて延び出す用紙支え部を有し、
前記第１板材および前記第２板材の他方には、前記用紙支え部を挿通させる挿通部が形成され、
前記用紙支え部を下側にしたときに用紙を前記用紙支え部で支持可能とされていることを特徴とする用紙ホルダ。
【請求項２】
前記用紙支え部を下側にしたときのホルダ上部に、人手で保持する手提げ部が設けられていることを特徴とする請求項１に記載の用紙ホルダ。
【請求項３】
プリンタの排紙台上に載置された用紙ホルダであって、
排出されてきた用紙が上側に載せられる第１板材と、
前記第１板材に上方から重ね合わせられ、前記第１板材との間で用紙を挟む第２板材と、
前記第１板材と前記第２板材とで用紙を挟持するように、前記第１板材と前記第２板材とを相互に近づける方向に付勢する付勢手段と、
を備えた用紙ホルダを載置可能で、プリンタ本体の用紙排出口から排出される用紙を受ける排紙台と、
前記排紙台を、前記用紙排出口側の排紙台端部回りに回動可能に保持する回動保持機構と、
を備え、
前記回動保持機構は、前記排紙台の位置を、
前記用紙排出口から排出される用紙を前記排紙台で受ける用紙受け位置と、
用紙排出方向端側の排紙台端部が前記用紙受け位置よりも下方に位置する用紙ホルダ取出し位置と、
に切替可能であることを特徴とするプリンタ。
【発明の詳細な説明】
【技術分野】
【０００１】
本発明は、排紙台に載置される用紙ホルダおよびプリンタに関する。
【背景技術】
【０００２】
プリンタから排出されてきた用紙を積載して収容するために、プリンタ本体の用紙排出口側に排紙台が設けられていることが多い。そして、印刷後の多数枚の用紙がプリンタから排出されて積層される場合には、通常、この排紙台に、用紙揃えが良好な状態で積層される（例えば特許文献１参照）。
【先行技術文献】
【特許文献】
【０００３】
【特許文献１】特開２０１０−２３２８６４号公報
【発明の概要】
【発明が解決しようとする課題】
【０００４】
ところで、多数枚の積層状態の用紙をプリンタの排紙台から取り出す際、用紙重量が大きいため、用紙を厚み方向に大きな力で押圧して挟持する必要があり、押圧力が不十分であると用紙揃えが悪化する。用紙に印字した後では印字面が滑りやすくなるため、この悪化が生じやすい。そして、用紙を反転させる必要があるときには、この用紙揃えの悪化は更に顕著となる。
【０００５】
この対策として、特許文献１では、排出された用紙を格納する格納容器を設け、この格納容器を持ち運び可能にすることが提案されている。しかし、格納容器の運搬時や格納容器からの用紙取り出し時に、やはり用紙揃えが悪化してしまうという問題があった。
【０００６】
なお、Ａ２サイズやＢ３サイズなどの大判印刷を行ったときには、重量が大きいことに加え、サイズが大きいため用紙を持った運搬者の手が胴体から離れてしまう。このため、重心が胴体に近い場合に比べ、運搬者にとって、運搬する際に用紙束を保持する力を入れ難く、しかもバランスを取り難いため、この問題は顕著となっていた。
【０００７】
本発明は上記課題に鑑みてなされたものであり、印刷後の用紙を、用紙揃えを悪化させることなく容易に取り出すことができる用紙ホルダおよびプリンタを提供することを課題とする。
【課題を解決するための手段】
【０００８】
上記目的を達成するために、本発明に係る用紙ホルダの第１の特徴は、プリンタの排紙台上に載置された用紙ホルダであって、排出されてきた用紙が上側に載せられる第１板材と、前記第１板材に上方から重ね合わせられ、前記第１板材との間で用紙を挟む第２板材と、前記第１板材と前記第２板材とで用紙を挟持するように、前記第１板材と前記第２板材とを相互に近づける方向に付勢する付勢手段と、を備えたことにある。
【０００９】
本発明に係る用紙ホルダの第２の特徴は、前記第１板材および前記第２板材の一方は、一側縁部から他方の前記第１板材または前記第２板材に向けて延び出す用紙支え部を有し、前記第１板材および前記第２板材の他方には、前記用紙支え部を挿通させる挿通部が形成され、前記用紙支え部を下側にしたときに用紙を前記用紙支え部で支持可能とされていることを特徴とすることにある。
【００１０】
本発明に係る用紙ホルダの第３の特徴は、前記用紙支え部を下側にしたときのホルダ上部に、人手で保持する手提げ部が設けられていることにある。
【００１１】
本発明に係るプリンタの第１の特徴は、請求項１に記載の用紙ホルダを載置可能で、プリンタ本体の用紙排出口から排出される用紙を受ける排紙台と、前記排紙台を、前記用紙排出口側の排紙台端部回りに回動可能に保持する回動保持機構と、を備え、前記回動保持機構は、前記排紙台の位置を、前記用紙排出口から排出される用紙を前記排紙台で受ける用紙受け位置と、用紙排出方向端側の排紙台端部が前記用紙受け位置よりも下方に位置する用紙ホルダ取出し位置と、に切替可能であることにある。
【発明の効果】
【００１２】
本発明に係る用紙ホルダの第１の特徴によれば、印刷後の用紙を、用紙揃えを悪化させることなく容易に取り出すことができる用紙ホルダが実現される。
【００１３】
本発明に係る用紙ホルダの第２の特徴によれば、用紙を挟持した用紙ホルダを立設状態、すなわち用紙支え部を下側に位置させた状態にしても、簡単な構成で用紙を用紙支え部で確実に支えることができる。
【００１４】
本発明に係る用紙ホルダの第３の特徴によれば、用紙を挟持した用紙ホルダを立設方向に向けた状態にして使用者が手提げで運搬することができる。
【００１５】
本発明に係るプリンタの第１の特徴によれば、排紙台を用紙受け位置に位置させて用紙を受けた後に用紙ホルダを組み立てて、排紙台を用紙ホルダ取出し位置にまで回動させることにより、用紙を挟持している用紙ホルダを排紙台から簡単に取り出すことができ、また、用紙ホルダの取り出しを考慮した排紙台の補強対策も行わなくても済む。
【図面の簡単な説明】
【００１６】
【図１】第１実施形態のプリンタで、排紙部に積層された用紙を運搬するために、用紙ホルダで用紙を保持することを示す斜視図である。
【図２】第１実施形態で、（ａ）は排紙部で用紙を受ける状態を示す側面図、（ｂ）は、用紙を挟持した用紙ホルダを排紙部から取り出すために排紙部を下方へ回動させたことを示す斜視図である。
【図３】第１実施形態で、（ａ）は図２（ａ）の部分拡大図、（ｂ）は図２（ｂ）の部分拡大図である。
【図４】第１実施形態で、（ａ）は係合凸部を出没させる出没機構の斜視図、（ｂ）〜（ｄ）は、いずれも（ａ）の部分拡大斜視図である。
【図５】第１実施形態の用紙ホルダの展開斜視図である。
【図６】第１実施形態で、用紙を挟持した用紙ホルダを持ち運び可能な状態にしたことを示す斜視図である。
【図７】第２実施形態の用紙ホルダを構成する第２板材の背面斜視図である。
【図８】第２実施形態で、（ａ）は用紙受け位置に配置されている排紙部の側面断面図、（ｂ）は（ａ）の部分拡大図である。
【発明を実施するための形態】
【００１７】
以下、本発明の実施の形態について説明する。なお、第２実施形態以下では、すでに説明したものと同様の構成要素には同じ符号を付してその説明を省略する。
【００１８】
なお、図面は模式的なものであり、寸法の比率等は現実のものとは異なることに留意すべきである。従って、具体的な寸法やその比率は以下の説明を参酌して判断すべきものである。又、図面相互間においても互いの寸法の関係や比率が異なる部分が含まれていることはもちろんである。
【００１９】
また、以下の説明では、用紙としてＡ２サイズやＢ３サイズなどを用いた大判印刷を行う例で説明するが、本発明は、通常サイズの用紙であっても適用可能である。また、以下の実施の形態で説明するプリンタは、例えば孔版印刷やインクジェットで印刷するプリンタであるが、他の種類のプリンタであってもよく、本発明ではプリンタの種類は特に限られない。
【００２０】
［第１実施形態］
まず、第１実施形態について説明する。図１は、本実施形態のプリンタで、排紙部に積層された用紙（排紙）を運搬するために、用紙ホルダで用紙を保持することを示す斜視図である。また、図２（ａ）はプリンタの排紙部で用紙を受ける状態を示す側面図、図２（ｂ）は、用紙を挟持した用紙ホルダを排紙部から取り出すために排紙部を下方へ回動させたことを示す斜視図である。また、図３（ａ）は図２（ａ）の部分拡大図であり、図３（ｂ）は図２（ｂ）の部分拡大図である。
【００２１】
本実施形態のプリンタ１０は、プリンタ本体１０Ｍの用紙排出口１２から排出される用紙Ｓを受ける排紙台１４と、この排紙台１４を、用紙排出口側の排紙台端部１４Ｍの回りに回動可能に保持する回動保持機構１６と、を備えている。
【００２２】
排紙台１４は、後述の用紙ホルダ５０が載置可能な平板状の排紙台本体２０と、排紙台本体２０に立設され、排出された用紙Ｓを両サイドからそれぞれ支えるサイドフェンス２２Ｌ、２２Ｒと、排出された用紙Ｓを排出方向端側で支えるエンドフェンス２４Ｌ、２４Ｒとを備えている。本実施形態では、サイドフェンス２２Ｌ、２２Ｒ、および、エンドフェンス２４Ｌ、２４Ｒは排紙台本体２０に着脱自在に立設しており、立設位置は、後述の用紙ホルダ５０の寸法に合わせて設定されている。
【００２３】
また、排紙台本体５２には、後述の付勢部材５６が入れられる孔状あるいは凹状の付勢部材挿通孔部２６や付勢部材凹部２７（図４も参照）が形成されている。
【００２４】
回動保持機構１６は、排紙台本体２０の両サイド側にそれぞれ係合する平板状の係合部材を備えている。図３（図４（ａ）、（ｄ）も参照）に示すように、排紙台本体２０の一方のサイドには係合凸部３２が出没可能に突出しており、排紙台本体２０の一方のサイド側に配置された係合部材３０には、この係合凸部３２に係合する係合孔部３１が形成されている。排紙台本体２０の他方のサイドについても同様の構成である。なお、係合凸部３２の形状としては、係合を誘導する観点では円錐台状であることが有利であり、レバー４２のストローク量を減らす観点では短円筒状であることが有利である。
【００２５】
係合孔部３１としては、用紙排出口１２から排出される用紙Ｓを受ける位置（以下、用紙受け位置という）に排紙台１４を位置させるように係合凸部３２が係合する係合孔部３１Ｍと、排紙台１４を用紙受け位置から下方へ回転させた位置（以下、用紙取り出し位置という）で係合凸部３２が係合する係合孔部３１Ｌと、排紙台１４を用紙受け位置から上方へ回転させてプリンタ本体１０Ｍ側に近接させて収納する位置（以下、収納位置という）で係合凸部３２が係合する係合孔部３１Ｕと、が形成されている。用紙受け位置では、用紙排出方向端側の排紙台端部１４Ｅが、用紙排出口側の排紙台端部１４Ｍよりもやや下方に位置している（図２（ａ）参照）。なお、サイドフェンス２２Ｌ、２２Ｒ、および、エンドフェンス２４Ｌ、２４Ｒは、排紙台１４を収納位置に位置させる際に折りたたむ構成にされていてもよい。
【００２６】
図４（ａ）〜（ｄ）は、係合凸部３２を出没させる機構を説明する斜視図である。排紙台１４には、係合凸部３２を排紙台本体２０の両サイドで出没させる出没機構３４が設けられている。出没機構３４は、排紙台本体２０の排出方向端側に延び出す手動操作部３６と、係合凸部３２を先端部に有する棒状係合部材３８と、手動操作部３６と棒状係合部材３８とを接続しているワイヤ４０と、を備えている。棒状係合部材３８は排紙台１４の両サイド側にそれぞれ配置されている。
【００２７】
手動操作部３６は、使用者が親指以外の指を掛けるレバー４２と親指を掛けるハンドル部４４とを備えている。ワイヤ４０は、このレバー４２と棒状係合部材３８とに接続されており、排紙台１４の固定ピン１８に掛けられることよって両端の方向が互いに異なる方向に向けられている。そして、棒状係合部材３８は、排紙台１４の両サイドから突出する方向へ圧縮コイルバネ（図示せず）によって付勢されている。
【００２８】
この構成により、係合凸部３２が係合孔部３１Ｕ、３１Ｍ、３１Ｒのいずれかに係合しているときに、使用者がレバー４２とハンドル部４４とに握る力を加えると、ワイヤ４０が引っ張られ、係合凸部３２が引っ込んで係合孔部３１から外れる。また、使用者がレバー４２から指を離す等してレバー４２へ力を加えないときには、係合凸部３２が突出していずれかの係合孔部に係合可能となる。
【００２９】
（用紙ホルダ）
以下、用紙ホルダ５０について詳細に説明する。図５は、用紙ホルダの展開斜視図であり、図６は、用紙を挟持した用紙ホルダを、持ち運び可能な状態、すなわち立設させた状態にしたことを示す斜視図である。
【００３０】
用紙ホルダ５０は、用紙受け位置に配置された排紙台１４上に載置される第１板材５２と、第１板材５２に上方から重ね合わせられ、第１板材５２との間で用紙Ｓを挟む第２板材５４と、第１板材５２と第２板材５４とで用紙Ｓを挟持するように、第１板材５２と第２板材５４とを相互に近づける方向に付勢する付勢部材５６と、を備えている。従って、排紙台１４が用紙受け位置に配置されているときには、第１板材５２の上側に、プリンタ１０から排出された用紙Ｓが載せられ、積層されていく。第１板材５２および第２板材５４の材質は、例えば、強度が比較的高くて軽量のプラスチックなどの樹脂部材であるが、ステンレスなどの金属製とすることも可能である。
【００３１】
第１板材５２には、サイドフェンス２２Ｌ、２２Ｒがそれぞれ入り込むサイドフェンス用凹部６２Ｌ、６２Ｒが形成されている。サイドフェンス用凹部６２Ｌ、６２Ｒによって、第１板材５２のサイド方向Ｗ（図１参照。用紙排出方向Ｆに直交する方向）の位置が規定されるようになっている。また、第１板材５２には、エンドフェンス２４Ｌ、２４Ｒがそれぞれ入り込むサイドフェンス用凹部６４Ｌ、６４Ｒが形成されている。サイドフェンス用凹部６４Ｌ、６４Ｒによって、第１板材５２の用紙排出方向Ｆの位置が規定されるようになっている。
【００３２】
このように、サイドフェンス用凹部６２Ｌ、６２Ｒ、エンドフェンス用凹部６４Ｌ、６４Ｒが形成されることによって、第１板材５２は切り欠きを有するような形状とされている。そして、第１板材５２を排紙台１４上に配置しなくても、用紙排出口１２から排出される用紙Ｓを排紙台１４に揃えた状態で積層させることができる構成になっている。第２板材５４についても同様である。
【００３３】
なお、図１では、第１板材５２のサイド方向Ｗの中央位置の両側にそれぞれエンドフェンス２４Ｌ、２４Ｒが配置されている例を示しているが、この中央位置に１つのエンドフェンスが配置された構成としてもよい。
【００３４】
第２板材５４は、排出方向端側の側縁部から第１板材５２に向けて延び出す用紙支え部６８を有する。本実施形態では、用紙支え部６８は３つの板状部で構成されている。そして、第１板材５２には、この用紙支え部６８を挿通させる用紙支え部挿通孔７０が形成されている。この構成により、付勢部材５６による付勢力によって、第１板材５２と第２板材５４とで用紙Ｓを挟持した状態で、用紙支え部６８を下側（底側）にしたときには、用紙Ｓを用紙支え部６８で支持可能となっている。なお、第２板材５４が用紙支え部６８を有し、第１板材５２が用紙支え部挿通孔７０を有する構成にすることも可能である。
【００３５】
付勢部材５６としては、例えば、第１板材５２および第２板材５４に着脱可能な掛止め式テープが付いたバンド部材である。なお、一方の部材（例えば第１板材５２）に端部が固定されていて、他方の部材（例えば第２板材５４）に着脱自在とされたテープで取り付けられる構成にしてもよい。
【００３６】
また、第１板材５２の用紙排出口側の側縁部、および、第２板材５４の用紙排出口側の側縁部には、人手で保持する手提げ部７４（図６参照）が設けられている。従って、この手提げ部７４は、用紙ホルダ５０が用紙Ｓを挟持した状態で用紙支え部６８を下側にしたときに、用紙ホルダ５０の上部側に位置する。
【００３７】
手提げ部７４は、第１板材５２の用紙排出口側の側縁部から用紙排出口側に２箇所で延び出す第１延出部７６（図１も参照）と、第２板材５４の用紙排出口側の側縁部から用紙排出口側に２箇所で延び出す第２延出部７８（図１も参照）と、を備えている。第１延出部７６および第２延出部７８にはそれぞれ挿通孔８０が形成されており、挿通孔８０には使用者の指が掛けられる柔軟性の手提げ用部材８２（例えば皮製の部材）が挿通可能となっている。手提げ用部材８２には、例えば着脱自在な掛止め式のテープが付けられていて、挿通後にこの手提げ用部材８２を簡単に無端状とすることが可能になっている。
【００３８】
なお、第１延出部７６および第２延出部７８は、直接に指が掛けられるような形状とされていてもよい。
【００３９】
（作用、効果）
以下、本実施形態の作用、効果について説明する。まず、排紙台１４を用紙受け位置に配置する。そして、排紙台本体２０に第１板材５２を載せる。その際、サイドフェンス用凹部６２Ｌ、６２Ｒにサイドフェンス２２Ｌ、２２Ｒがそれぞれ入り込んで当接するとともに、エンドフェンス用凹部６４Ｌ、６４Ｒにエンドフェンス２４Ｌ、２４Ｒがそれぞれ入り込んで当接するように第１板材５２を載置する。
【００４０】
この結果、第１板材５２の両サイドの位置はサイドフェンス２２Ｌ、２２Ｒで規定される。また、用紙受け位置では用紙排出方向端側の排紙台端部１４Ｅが用紙排出口側の排紙台端部１４Ｍよりもやや下方に位置しているので、第１板材５２の自重により第１板材５２の用紙排出方向の位置がエンドフェンス２４Ｌ、２４Ｒで規定される。
【００４１】
その後、プリンタ１０で印刷すると、プリンタ１０から排出された用紙Ｓは第１板材５２の上面に積層されていく。
【００４２】
所定枚数の用紙Ｓが積層された後、第１板材５２に上方から第２板材５４を重ね合わせる。その際、用紙支え部６８を用紙支え部挿通孔７０に挿通させる。そして、付勢部材５６を付勢部材挿通孔部２６に挿通させることや付勢部材凹部２７に入れることを行って第１板材５２と第２板材５４に取り付け、付勢力によって第１板材５２と第２板材５４とで用紙Ｓを挟持する。更に、第１板材５２および第２板材５４の挿通孔８０に手提げ用部材８２を挿通させて無端状とすることで、用紙ホルダ５０の組み立てを完了する。この結果、用紙Ｓが揃った状態で用紙ホルダ５０に挟持される。また、この状態では、用紙ホルダ５０がエンドフェンス２４Ｌ、２４Ｒによって支えられており、エンドフェンス２４Ｌ、２４Ｒが用紙ホルダ５０のストッパとしての役割を果たしている。
【００４３】
次に、手動操作部３６に指を掛けて握る。その際、レバー４２に親指以外の指を掛け、ハンドル部４４に親指を掛けて握る。この結果、レバー４２が手前側に引き寄せられ、係合凸部３２が引っ込んで係合孔部３１から外れる。このとき、使用者が手動操作部３６を握っているので、このように係合が外れても、排紙台１４が急激に下方へ回転しまうことが防止される。
【００４４】
係合が外れた後、使用者は、用紙ホルダ５０および排紙台１４の重量を利用して、排紙台１４をゆっくり下方へ回転させる。そして、係合凸部３２を係合孔部３１Ｌに係合させることで、排紙台１４を用紙取り出し位置に位置させる。この結果、用紙排出方向端側の排紙台端部１４Ｅは、用紙受け位置に比べて下方に位置する。このとき、エンドフェンス２４Ｌ、２４Ｒが用紙ホルダ５０のストッパとして作用し、用紙ホルダ５０の落下が防止されている。
【００４５】
なお、用紙受け位置ではなく用紙取り出し位置に排紙台１４を位置させた状態で、挿通孔８０に手提げ用部材８２を挿通させて無端状にしてもよく、これにより、挿通孔８０に手提げ用部材８２を挿通させ易い。
【００４６】
そして、手提げ用部材８２に指を通して用紙ホルダ５０を持ち上げ、所定位置にまで運搬する。
【００４７】
これにより、人手で用紙両側部を強く掴むことなく、用紙Ｓが揃った状態で所定位置にまで用紙Ｓを運搬することができる。このことは、印刷されていない裏面側に更に印刷する際、用紙ホルダ５０をプリンタ１０の所定位置に載置して、付勢部材５６を取り外すとともに第１板材５２を取り外すことで、用紙Ｓを揃えた状態で用紙Ｓを反転させて所定位置に短時間で簡単に配置することができ、大きな効果を奏する。
【００４８】
また、第１板材５２と第２板材５４とで用紙Ｓが挟持されているので、運搬時や保管時などで用紙ホルダ５０が立設方向に向けられていても（すなわち用紙支え部６８が下側に位置していても）、用紙Ｓが自重で曲がって変形してしまうことが防止される。
【００４９】
また、排紙台１４を用紙取り出し位置に位置させて用紙ホルダ５０を取り出すことができる。従って、用紙ホルダ５０を取り出す際に用紙ホルダ５０がエンドフェンス２４Ｌ、２４Ｒと干渉し合うことが回避され、用紙ホルダ５０の取り出しを考慮したエンドフェンス２４Ｌ、２４Ｒの保護対策、補強対策を行わなくても済む。また、用紙ホルダ５０を取り出す際に排紙台１４の用紙排出方向端側の排紙台端部１４Ｅに大きな荷重がかかることも回避されるので、用紙ホルダ５０の取り出しを考慮した排紙台１４の補強対策も行わなくても済む。
【００５０】
また、サイドフェンス２２Ｌ、２２Ｒおよびエンドフェンス２４Ｌ、２４Ｒの立設位置および寸法に合わせて、第１板材５４にサイドフェンス用凹部６２Ｌ、６２Ｒ、エンドフェンス用凹部６４Ｌ、６４Ｒが形成されている。これにより、第１板材５２を排紙台１４上に配置しなくても、すなわち用紙ホルダ５０を用いなくても、用紙排出口１２から排出される用紙Ｓを排紙台１４に揃えた状態で積層させることが可能になっている。印刷枚数が少ないときには、用紙ホルダ５０を用いないほうが手間をかけずに短時間で印刷処理をすることができて有利である。
【００５１】
また、用紙ホルダ５０に手提げ部７４を設けており、この手提げ部７４で用紙ホルダ５０を持つことにより、用紙ホルダ５０に挟持された用紙Ｓを垂直方向（用紙ホルダ５０が立設する方向）に向けた状態で運搬することができる。
【００５２】
また、第１板材５２に第２板材５４を重ね合わせる際に、用紙支え部６８を用紙支え部挿通孔７０に挿通させることで用紙ホルダ５０を組み立てており、用紙Ｓを挟持した用紙ホルダ５０を立設方向に向けた際に、簡単な構成で用紙Ｓを用紙支え部６８で支えることができる。なお、付勢部材５６による用紙Ｓの挟持力が小さくても、この用紙支え部６８により用紙揃え状態が悪化することが確実に防止される。
【００５３】
また、用紙ホルダ５０を複数個用意しておき、印刷終了後に直ちに用紙ホルダ５０を組み立てて排紙台１４から移動させることで、用紙Ｓを排紙台１４から移動させるのにかかる時間を短縮することができる。そして、印刷後の用紙Ｓを暫く放置する必要があるときには、保管場所にまで運搬してそのまま載置することができ、しかも用紙ホルダ５０を立てた状態（用紙支え部６８を下側にした状態）にして載置することができる。
【００５４】
なお、以上の実施形態では、用紙排出方向端側の排紙台端部１４Ｅが下がる方向に排紙台１４が回転するときは緩やかに回転するように、ワンウェイ方向にダンパとして作用するギアを回動保持機構１６に設けることが好ましい。
【００５５】
また、第１板材５２を配置していないときに使用者が印刷指令のボタンを押したときに、音声あるいは照明で、第１板材５２を配置するように使用者に知らせる構成にしてもよい。更には、所定枚数の印刷を終了したときに、音声あるいは照明で、第２板材５４を重ね合わせて用紙ホルダ５０を組み立てる旨を使用者に知らせる構成にしてもよい。これらの場合、例えば、このような音声機あるいは警告灯を設け、プリンタ１０の制御部（図示せず）でこれをコントロールする。
【００５６】
また、図１に二点鎖線で示すように、第２板材５４に空気抜き用孔８６を配設してもよい。これにより、第２板材５４を第１板材５２に重ね合わせる際に、スムーズに重ね合わせることができ、また、第２板材５４の軽量化を図ることもできる。更に、空気抜き用孔８６を第１板材５２に形成してよい。空気抜き用孔８６の形状は、円形、楕円形など、種々の形状にすることが可能である。
【００５７】
また、本実施形態では、重量が大きい大判の用紙Ｓの束を運搬し易いように、第１板材５２の側縁部から２箇所で延び出す第１延出部７６と、第２板材５４の側縁部から２箇所で延び出す第２延出部７８とを有する手提げ部７４を設けた例で説明したが、重量や寸法が小さい場合には、側縁部の中央から１箇所のみで延び出す構成にしてもよい。
【００５８】
また、第１延出部７６および第２延出部７８を柔軟性の部材で構成してもよく、更には、第１延出部７６および第２延出部７８に代えて、着脱自在な掛止め式のテープ等で構成される着脱自在な手提げ部としてもよい。
【００５９】
また、本実施形態では、用紙支え部６８を第２板材５４が有し、第１板材５２には、この用紙支え部６８を挿通させる用紙支え部挿通孔７０が形成されている例で説明したが、用紙支え部６８を第１板材５２が有し、第２板材５２に、この用紙支え部６８を挿通させる用紙支え部挿通孔７０が形成されている構成にすることも可能である。
【００６０】
［第２実施形態］
次に、第２実施形態について説明する。図７は、本実施形態の用紙ホルダを構成する第１板材の背面斜視図である。図８（ａ）は用紙受け位置に配置されている排紙部の側面断面図であり、図８（ｂ）は図８（ａ）の部分拡大図である。
【００６１】
本実施形態の用紙ホルダ９０では、第１板材９２の裏面側（排紙台側）にＬ字状に突出する係止部９４が形成されており、本実施形態のプリンタの排紙台９６には、この係止部９４が挿入される係止用孔部９８が形成されている。この構成により、係止部９４が係止用孔部９８に挿入されて用紙ホルダ９０が係止される構造になっている。
【００６２】
これにより、第１実施形態に比べ、用紙取り出し位置で、排紙台端部１４Ｅをもっと下方位置に下げた状態、すなわち用紙ホルダ９０をもっと立設方向に近い状態にして、用紙ホルダ９０を更に取り出し易くしても、用紙ホルダ９０の落下が確実に防止される。
【００６３】
なお、本実施形態では、用紙取り出し位置でエンドフェンス２４Ｌ、２４Ｒが用紙ホルダ９０を支える必要がないので、エンドフェンス２４Ｌ、２４Ｒを用紙排出方向Ｆにスライド移動可能な構成にしてもよい。
【符号の説明】
【００６４】
１０  プリンタ
１０Ｍ  プリンタ本体
１２  用紙排出口
１４  排紙台
１４Ｅ  排紙台端部（一側縁部）
１４Ｍ  排紙台端部
１６  回動保持機構
５０  用紙ホルダ
５２  第１板材
５４  第２板材
５６  付勢部材
６８  用紙支え部
７０  用紙支え部挿通孔（挿通孔）
７４  手提げ部
９０  用紙ホルダ
９２  第１板材
９６  排紙台
Ｓ  用紙
【図１】
0005740206.tif 000002
【図２】
0005740206.tif 000003
【図３】
0005740206.tif 000004
【図４】
0005740206.tif 000005
【図５】
0005740206.tif 000006
【図６】
0005740206.tif 000007
【図７】
0005740206.tif 000008
【図８】
0005740206.tif 000009